(57)【要約】 【課題】電子出版物を閲覧しながら、当該電子出版物に対するコメントを投稿できるようにする電子出版物閲覧装置を提供する。【解決手段】電子出版物閲覧装置を実現する端末１１１は、複数の頁を有する電子出版物を頁ごとに画面に表示し、画面内の位置と、当該位置に対するコメントと、を指定する入力を受け付け、入力が受け付けられると、電子出版物に対応付けられるＵＲＩ、画面に表示されている頁の番号、指定された位置ならびに指定されたコメントを指定するツイートを、エムエスサーバ１３１を介して、もしくは、直接、ツイッターサーバ１５１に投稿する。【選択図】図１
2011227640.tif 000002
【特許請求の範囲】
【請求項１】
複数の頁を有する電子出版物を頁ごとに画面に表示する表示部、
前記画面内の位置と、当該位置に対するコメントと、を指定する入力を受け付ける受付部、
前記入力が受け付けられると、前記電子出版物に対応付けられるＵＲＩ、前記画面に表示されている頁の番号、前記指定された位置ならびに前記指定されたコメントを指定するツイートを、ツイート管理サーバに投稿する投稿部
を備えることを特徴とする電子出版物閲覧装置。
【請求項２】
請求項１に記載の電子出版物閲覧装置であって、
前記ツイート管理サーバから、前記電子出版物が対応付けられるＵＲＩと、前記画面に表示されている頁の番号と、を指定するツイートを検索し、当該検索されたツイートのそれぞれに指定される位置と、コメントと、を取得する取得部
をさらに備え、
前記表示部は、前記電子出版物の頁に、前記検索されたツイートのそれぞれから取得された位置に、当該取得されたコメントを、重ねて表示する
ことを特徴とする電子出版物閲覧装置。
【請求項３】
請求項２に記載の電子出版物閲覧装置であって、
前記ツイート管理サーバは、代理投稿サーバならびにツイッターサーバを備え、
前記代理投稿サーバにおいて、前記電子出版物閲覧装置と、前記ツイッターサーバにおけるアカウントと、が、
（ａ）対応付けられて管理されていない場合、前記投稿部は、前記ツイートを、前記電子出版物に対応付けられる代理投稿用アカウントによるツイートとして、前記代理投稿サーバを介して、前記ツイッターサーバに投稿し、
（ｂ）対応付けられて管理されている場合、前記投稿部から、前記ツイートを、当該アカウントによるツイートとして、直接、前記ツイッターサーバに投稿し、前記代理投稿サーバは、当該ツイートに対するリツイートを、代理投稿用アカウントによるツイートとして、前記ツイッターサーバに投稿する
ことを特徴とする電子出版物閲覧装置。
【発明の詳細な説明】
【技術分野】
【０００１】
本発明は、電子出版物を閲覧しながら、当該電子出版物に対するコメントを投稿できるようにするのに好適な電子出版物閲覧装置に関する。
【背景技術】
【０００２】
従来から、各種の電子出版物の閲覧装置が提案されている。最も普及した電子出版物のフォーマットは、ＰＤＦ（Portable Document Format）と呼ばれるものである。ＰＤＦでは、１つの電子出版物は１以上の頁により構成され、各頁には、テキストや画像を含めることができる。
【０００３】
一方で、動画像や音声などのコンテンツに対してコメントを表示する技術が、特許文献１に開示されている。当該技術は、動画像や音声に対し、画像を組み合わせることで、動画像や音声を楽しむことができるコメント配信システムを提供するため、コメント配信サーバは、コンテンツ再生時間をコメント付与時間として設定されたコメント内容とコンテンツ識別情報とを対応づけてコメント情報として記憶し、コンテンツ識別情報受信部が受信するコンテンツ識別情報に対応するコメント情報をコメント情報記憶部から読み出して該端末装置に配信する。端末装置は、再生対象のコンテンツ識別情報をコメント配信サーバに送信し、コメント配信サーバから送信されるコメント情報を受信し、受信したコメント情報を記憶する。そして、コメント情報記憶部に記憶されたコメント情報のうち、再生されるコンテンツのコンテンツ再生時間に対応するコメント付与時間が対応づけられたコメントを再生されるコンテンツのコンテンツ再生時間に合わせて表示する。
【先行技術文献】
【特許文献】
【０００４】
【特許文献１】特開２００８−２７８４４９号公報
【発明の概要】
【発明が解決しようとする課題】
【０００５】
ここで、本の余白に書き込みをするように、電子出版物を閲覧する際にも、各頁にコメントを記入したい、という要望がある。
【０００６】
また、そのコメントを他のユーザと共有したい、という要望も強い。
【０００７】
さらに、コメントを介して、ユーザ間のコミュニケーションを図るとともに、電子出版物を未だ閲覧していない他のユーザにも、その電子出版物を広告したい、という要望もある。
【０００８】
本発明は、上記のような課題を解決するもので、電子出版物を閲覧しながら、当該電子出版物に対するコメントを投稿できるようにするのに好適な電子出版物閲覧装置を提供することを目的とする。
【課題を解決するための手段】
【０００９】
以上の目的を達成するため、本発明の原理にしたがって、下記の発明を開示する。
【００１０】
本発明の第１の観点に係る電子出版物閲覧装置は、表示部、受付部、投稿部を備え、以下のように構成する。
【００１１】
すなわち、表示部は、複数の頁を有する電子出版物を頁ごとに画面に表示する。
【００１２】
一方、受付部は、画面内の位置と、当該位置に対するコメントと、を指定する入力を受け付ける。
【００１３】
さらに、投稿部は、入力が受け付けられると、「電子出版物が配布される場所を表すＵＲＩ、画面に表示されている頁の番号、指定された位置ならびに指定されたコメント」を指定するツイートを、ツイート管理サーバに投稿する。
【００１４】
また、本発明の電子出版物閲覧装置は、取得部をさらに備えるように構成することができる。
【００１５】
ここで、取得部は、ツイート管理サーバから、電子出版物が配布される場所を表すＵＲＩと、画面に表示されている頁の番号と、を指定するツイートを検索し、当該検索されたツイートのそれぞれに指定される位置と、コメントと、を取得する。
【００１６】
一方、表示部は、電子出版物の頁に、検索されたツイートのそれぞれから取得された位置に、当該取得されたコメントを、重ねて表示する。
【００１７】
また、本発明の電子出版物閲覧装置において、ツイート管理サーバは、代理投稿サーバならびにツイッターサーバを備え、以下のように構成することができる。
【００１８】
すなわち、電子出版物閲覧装置と、ツイッターサーバにおけるアカウントと、が、代理投稿サーバにおいて、
（ａ）対応付けられて管理されていない場合、投稿部は、ツイートを、電子出版物に対応付けられる代理投稿用アカウントによるツイートとして、代理投稿サーバを介して、ツイッターサーバに投稿し、
（ｂ）対応付けられて管理されている場合、投稿部から、ツイートを、当該アカウントによるツイートとして、直接、ツイッターサーバに投稿し、代理投稿サーバは、当該ツイートに対するリツイートを、代理投稿用アカウントによるツイートとして、ツイッターサーバに投稿する。
【００１９】
なお、上記（ｂ）の場合に、「当該アカウントによるツイートとして、投稿部から、直接、ツイッターサーバに投稿」するかわりに、「当該アカウントによるツイートとして、投稿部から、代理投稿サーバを介して、ツイッターサーバに投稿」されることとしても良い。この場合には、代理投稿サーバもツイッターのアカウント管理が可能なように設定することとなる。
【００２０】
また、コンピュータに所定のプログラムを実行させることにより、上記電子出版物閲覧装置の各部として機能させるように構成することができる。
【００２１】
当該プログラムは、コンパクトディスク、フレキシブルディスク、ハードディスク、光磁気ディスク、ディジタルビデオディスク、磁気テープ、半導体メモリ等のコンピュータ読取可能な情報記憶媒体に記録することができる。
【００２２】
上記プログラムは、プログラムが実行されるコンピュータとは独立して、コンピュータ通信網を介して配布・販売することができる。また、上記情報記憶媒体は、コンピュータとは独立して配布・販売することができる。
【発明の効果】
【００２３】
本発明によれば、電子出版物を閲覧しながら、当該電子出版物に対するコメントを投稿できるようにするのに好適な電子出版物閲覧装置を提供することができる。
【図面の簡単な説明】
【００２４】
【図１】本発明に係る電子出版物閲覧装置を含む閲覧システムの概要構成を示す説明図である。
【発明を実施するための形態】
【００２５】
以下に本発明の実施形態を説明する。以下では、理解を容易にするため、いわゆるスマートフォン用の情報処理装置を利用して本発明が実現される実施形態を説明するが、以下に説明する実施形態は説明のためのものであり、本願発明の範囲を制限するものではない。
【００２６】
したがって、当業者であればこれらの各要素もしくは全要素をこれと均等なものに置換した実施形態を採用することが可能であるが、これらの実施形態も本発明の範囲に含まれる。
【００２７】
特に、以下に掲げる操作体系や実装態様は、あくまで一例を示すものであり、本発明の範囲は、以下に掲げる実施例に限られるものではない。
【実施例１】
【００２８】
図１は、本発明に係る電子出版物閲覧装置を含む閲覧システムの概要構成を示す説明図である。以下、本図を参照して説明する。
【００２９】
本実施形態に係る閲覧システム１０１は、端末１１１と、エムエスサーバ１３１と、ツイッター（Twitter）サーバ１５１と、が、インターネット１７１を介して相互に通信可能に接続されることによって実現される。
【００３０】
ここで、端末１１１は、所定のプログラムを実行することにより、電子出版物閲覧装置として機能するもので、各種の携帯電話やスマートフォン、パーソナルコンピュータなどにより実現される。
【００３１】
ツイッターサーバ１５１（http://twitter.com/）は、ユーザのツイート（tweet；つぶやき）の投稿をインターネット１７１を介して受け付け、これをインターネット１７１経由で公開するものである。
【００３２】
エムエスサーバ１３１（http://cir.ms/）は、ツイッターサーバ１５１におけるアカウントを持っていないユーザや、匿名で投稿したいユーザによるツイートをツイッターサーバ１５１に代理投稿する。また、ツイッターサーバ１５１におけるアカウントを持っているユーザについては、リツイートを行うことで、ツイートの紹介を行う。このほか、端末１１１と当該端末１１１にダウンロードされた電子出版物の紐付けも行う。
【００３３】
ツイッターサーバ１５１とエムエスサーバ１３１は、連携することによって、ツイート管理サーバとして機能する。
【００３４】
以下、本願において利用する用語を定義する。
（１）電子ブック  …  表紙、本文、裏表紙の内容を表す画像（静止画もしくは動画）の集合体。奥付も本文内に含めることとする。起動時に表示されるスプラッシュ画像などを含むこともある。既存の技術では、ＰＤＦ形式のファイルに相当する。
（２）ブックリーダー  …  電子ブックを画面に表示するためのプログラム。既存の技術では、Adobe Acrobat Reader（Windows（登録商標）用）やGood Reader（iPhone用）に相当する。
（３）ブックアプリ  …  １つの電子ブックとブックリーダーを一体化させた各種端末１１１専用の実行可能ファイル。たとえば、iPhone用のブックアプリでは、AppStoreからダウンロードするだけで直ちに電子ブックを閲覧することができる。Windows（登録商標）が動作するパーソナルコンピュータ用のブックアプリは、ＥＸＥ形式で、setup.exe等によるインストールは必ずしも必要ない。既存の技術では「Adobe Acrobat ReaderとＰＤＦ形式のファイルを一体化したもの」に相当する。
（４）配布情報ＵＲＬ  …  電子ブック（もしくは、電子ブックを埋め込んだブックアプリ）が入手可能な場所の情報が得られるＵＲＬ。各電子ブックごとに重複しない名前が割り当てられる。たとえば、http://cir.ms/b123、http://cir.ms/b456等。
（５）ブックボット  …  電子ブックに対応付けられるツイッターのアカウント。
【００３５】
以下では、閲覧システム１０１の機能の概要を、箇条書で説明する。
【００３６】
（基本機能）
ユーザが端末１１１においてブックアプリを起動すると、電子ブックが閲覧できるようになる。
【００３７】
ブックアプリ起動時には、まず、スプラッシュ画像が画面に表示される。スプラッシュ画像として典型的なものは、エムエスサーバ１３１の運営元を表すロゴマークを表す画像であり、フェードイン、フェードアウト等を利用して表示される。
【００３８】
このほか、本文第１頁（表紙に相当）にロゴマークを付加した画像をスプラッシュ画像としても良い。この場合には、スプラッシュ画像から本文第１頁にクロスフェードするように表示することで、ロゴマークが段々薄くなっていくようにできる。
【００３９】
このほか、電子ブックの著者にスプラッシュ画像のデザインそのものを任せることとしても良い。この場合には、ロゴマークが画像のどこかに配置するよう依頼する必要がある。
【００４０】
本文第１頁が表示された後は、ユーザが画面に対して以下のような操作を行うと、ブックアプリがこれに反応する。
（Ａ）左方向・右方向のフリック（スライド）  …  表示頁を１頁進め、もしくは、１頁戻す。頁移動の際には、効果音を出力する等の演出を行っても良い。
（Ｂ）２本指によるピンチ  …  頁の拡大・縮小。指の間隔を広げれば拡大、狭めれば縮小に相当する。なお、拡大率は、頁移動した後もそのまま維持されるのが好ましい。
【００４１】
本文の各頁は、仮想的には、巻物のように（日本仕様では右から左に、外国仕様では左から右に）一列に並んでいる。したがって、見開き頁のような横幅の大きい頁左右フリックにより、容易に閲覧することができる。
【００４２】
本文最終頁（裏表紙に相当）に至った後に、さらに次の頁に移動すると、広告が表示される。
【００４３】
広告頁は、ブックアプリ内に塔載されているブラウザが、エムエスサーバ１３１の所定のＵＲＬ（たとえば、配布情報ＵＲＬや、配布情報ＵＲＬに関連付けられる広告用ＵＲＬ）にアクセスし、ウェブページを取得、これを表示することによって実現される。
【００４４】
このほか、以下の機能・操作に対応することが望ましい。
（Ｘ）本文の先頭や末尾へのジャンプ。たとえば、iPhoneをシャッフルすることで先頭に戻り、先頭でシャッフルすると末尾へ移動する、等の操作体系が考えられる。
（Ｙ）端末１１１の回転  …  表示頁を回転して、表示頁が重力の方向に対してできるだけ正しい向きとなるようにする。
【００４５】
（ツイート投稿機能）
ユーザが電子ブックの本文を閲覧している間に、その頁に対する投稿を行うことができる。すなわち、
（Ｃ）ダブルタップ  …「その電子ブックのその頁のその場所に対するコメント」の入力と投稿。
【００４６】
ダブルタップにより、コメントを入力するためのテキストボックスが表示される。ユーザがコメントを入力すると、以下の情報を含むツイートが、ブックアプリから直接的に、あるいは、エムエスサーバ１３１を介して間接的に、ツイッターサーバ１５１に投稿される。
（ａ）配布情報ＵＲＬ。上記のように、配布情報ＵＲＬは、エムエスサーバ１３１が管理するＵＲＬであり、一種の短縮ＵＲＬとして機能する。
（ｂ）頁番号。現在表示されている頁が何番目か、を表す。
（ｃ）画面内の位置。頁内における位置であるが、各種の解像度に対応するため、たとえば、「左端から横幅○○パーセント、上端から高さ○○パーセント」のような表現を採用する。
（ｄ）ユーザが入力したコメント。
【００４７】
したがって、ツイートの姿は、たとえば、以下のようになる。
http://cir.ms/b123 この娘かわいい！  p.12(35,72)
【００４８】
このツイートは、ユーザが配布情報ＵＲＬ「http://cir.ms/b123」の電子ブックの「第１２頁」の閲覧中に、左端から頁幅の３５パーセント、上端から頁高の７２パーセントの位置に対して「この娘かわいい！」とのコメントを発したことを意味する。
【００４９】
ブックアプリにおいてツイッターのアカウント名やパスワードが設定済みの場合には、ブックアプリから直接ツイッターサーバ１５１にツイートの投稿を行うとともに、エムエスサーバ１３１にもツイート投稿の旨を通知する。エムエスサーバ１３１がこの通知を受信すると、ブックボットが当該ツイートをリツイートする。
【００５０】
ブックアプリにおいてツイッターのアカウント名等が設定されていない場合は、ユーザは匿名による投稿（ツイートをパブリックドメインにする投稿）を行うことになる。この場合は、ブックアプリからツイートを投稿したい旨がエムエスサーバ１３１に通知される。エムエスサーバ１３１がこの通知を受信すると、ブックボットが当該ツイートをツイッターサーバ１５１に投稿する。
【００５１】
ただし、ブックアプリからツイッターサーバ１５１への直接投稿をせず、必ずエムエスサーバ１３１を介することとしても良い。この態様では、ツイッターのアカウント名とパスワードの両方を、エムエスサーバ１３１で管理する必要がある。
【００５２】
アカウント情報の管理については後述する。
【００５３】
（ツイート表示機能）
ユーザは、閲覧中の電子ブックについて投稿されたツイートを、簡単に閲覧することができる。現在閲覧中の頁に対するツイートに対して以下のようなフィルタリングを行うことで、ツイートを整理して、ユーザに提供する。
（ａ）全ツイート。
（ｂ）特定の言語によるツイート。
（ｃ）電子ブックの著者によるツイート。
（ｄ）特定のユーザによるツイート。
（ｅ）注記・注釈ツイート。
（ｆ）上記を、ユーザ所望の言語にgoogle飜訳した結果。
【００５４】
ツイートは、仮想的な「レイヤ」に描画される。そして、レイヤが電子ブックの頁の上に重ね合わせられて画面に表示される。既定のレイヤは、「全ツイート」もしくは「全ツイートを飜訳した結果」に設定しておくことが望ましい。
【００５５】
レイヤに対しては、以下のような操作を行うことができる。
（Ｄ）２本指タップ  …  レイヤの表示・非表示を切り替える。
（Ｅ）上下方向のフリック（スライド）  …  レイヤ表示時には、レイヤを「次のレイヤ」「前のレイヤ」に切り替える。
【００５６】
なお、レイヤを実装するのではなく、簡易表示のために、以下のような実装を行うこととしても良い。
【００５７】
（Ｄ'）２本指タップ  …  当該頁に対する全ツイートの検索結果を表すウェブページを、アプリ内ブラウザで表示
【００５８】
また、広告表示頁の前後などに、当該電子ブックに対する全ツイートの検索結果を表すウェブページを表示する頁を配置することとしても良い。
【００５９】
なお、電子ブックの著者によるツイートや注記・注釈ツイートの情報を、あらかじめ、電子ブック内に埋め込むこととすると、ツイッターサーバ１５１やエムエスサーバ１３１にアクセスしなくとも表示が可能となる。
【００６０】
表示しようとする頁に対する既存のツイートを取得する際には、取得部がツイッターサーバ１３１にアクセスすることによって取得するのが典型的であるが、エムエスサーバ１３１がすべてのツイートを管理するような態様では、エムエスサーバ１３１にアクセスすることとしても良い。
【００６１】
（アカウント管理機能）
iPhoneアプリでは、端末１１１単独では、複数のブックアプリで情報を共有することはできない。そこで、以下のような手法によって、ツイッターのアカウント名やパスワードを共有する。
【００６２】
すなわち、ある端末１１１において、いずれかのブックアプリが起動すると、エムエスサーバ１１１に、端末１１１の個体識別番号（製造番号等）を通知する。
【００６３】
エムエスサーバ１１１には、その個体識別番号に、アカウント名等を紐付けするデータベースが用意されている。
【００６４】
通知された個体識別番号にアカウント名等が紐付けされていない場合には、その旨をブックアプリに通知する。
【００６５】
通知を受けて、ブックアプリは、ユーザに、ツイッターのアカウント名等を入力するよう求める。入力されたアカウント名等は、ブックアプリ用のサンドボックス内に記憶された後、エムエスサーバ１１１に通知される。
【００６６】
エムエスサーバ１１１は、通知されたアカウント名等と、個体識別番号とを紐付けして、データベースに記憶する。
【００６７】
一方、通知された個体識別番号にアカウント名等が紐付けされている場合には、アカウント名等を、ブックアプリに通知する。
【００６８】
通知を受けたブックアプリは、通知されたアカウント名等をブックアプリ用のサンドボックス内に記憶し、以降はその情報を利用する。
【００６９】
このような機能を実現することによって、ブックアプリごとにアカウント名等を入力する手間を省くことができる。
【００７０】
なお、個人情報保護の観点等から、エムエスサーバ１１１でパスワードを管理することが望ましくない場合もある。このような場合には、以下のような簡易な対策がありうる。
【００７１】
すなわち、エムエスサーバ１１１では、個体識別番号とツイッターのアカウント名のみを管理することとする。
【００７２】
そして、各ブックアプリで初めてツイートを投稿する際に、ユーザにパスワードの入力を求め、この情報をサンドボックス内に記憶する。以降は、ここで入力されたパスワードを利用する。
【００７３】
このほか、公開鍵暗号を利用する手法もある。たとえば、ブックアプリは、端末１１１に割り当てられる「電話番号」を秘密鍵とする公開鍵を一意に生成する。そして、ツイッターのパスワードを、この公開鍵で暗号化して、エムエスサーバ１３１に管理させる。
【００７４】
この場合、エムエスサーバ１３１がブックアプリに通知する情報は、ツイッターのアカウント名と、暗号化されたパスワードということになる。
【００７５】
ブックアプリは、公開鍵により暗号化されたパスワードを、「電話番号」により復号することにより、サンドボックスにパスワードが記録されていない場合であっても、ツイッターのパスワードを得ることができる。
【００７６】
（電子ブック管理機能）
上記のアカウント管理機能を利用すると、エムエスサーバ１３１は、どの端末１１１でどのブックアプリが起動したか、を管理することが可能となる。
【００７７】
したがって、エムエスサーバ１３１からブックアプリに対して、「その端末１１１のユーザが購入した他のブックアプリ」を知らせることが可能となる。
【００７８】
たとえば、広告頁などの後に、本棚頁を設けることができるようになる。
【００７９】
この本棚頁は、単体のブックリーダーと同じ機能を果たす。
【００８０】
すなわち、本棚頁には、そのユーザが過去に購入したブックアプリのアイコンが、すべて（たとえiPhoneからそのブックアプリを削除した場合であっても）、表示されている。ユーザは、アイコンの並び順序を変更したり、階層化して、整理をすることができる。各アイコンには、配布情報ＵＲＬが対応付けられている。
【００８１】
一方、各ブックアプリは、ブックアプリのコンパイル時に、配布情報ＵＲＬから一意に変換可能なＵＲＬスキーマをiPhoneに対して公開するように設定しておく。
【００８２】
たとえば、配布情報ＵＲＬがhttp://cir.ms/b123のブックアプリに対しては、OPEN URL用のＵＲＬスキーマとしてb123.ms.cir://openを設定して、コンパイルを実行しておく。
【００８３】
iPhone内の他のアプリからは、
[[UIApplication sharedApplication] openURL:[NSURL URLWithString:ブックアプリのＵＲＬスキーマ]]
上記の例であれば、
[[UIApplication sharedApplication] openURL:[NSURL URLWithString: @"b123.ms.cir://open"]]
を実行すれば、当該iPhoneにインストール済みの配布場所ＵＲＬがhttp://cir.ms/b123のブックアプリを起動することができる（http://d.hatena.ne.jp/glass-_-onion/20100218/1266487481）。
【００８４】
このように、ブックアプリの末尾に必ず本棚頁があるようにしておくと、この本棚頁を、iPhoneにダウンロード済みのブックアプリのランチャとして利用することができる。
【００８５】
なお、openURLに失敗する場合は、そのブックアプリがiPhoneから削除されているものと考えられる。
【００８６】
この場合には、その電子ブックを開くように、単体のブックリーダーをopenURLで起動してみる。この場合には、ＵＲＬスキーマに、電子ブックの文書番号b123等を引数として与えることになる。
【００８７】
ブックリーダーが起動した場合、指定された電子ブックがダウンロード済みでなければ、その電子ブックをエムエスサーバ１３１からダウンロードし、ブックリーダーのサンドボックスに保存する。その後、保存された電子ブックを表示する。あとは、通常のブックアプリと同様である。
【００８８】
また、単体のブックリーダーが起動できなかった場合には、ユーザに、単体のブックリーダーをインストールするよう促すアラートを提示する。
【００８９】
（ウェブブラウズ機能）
著者ツイートや注記・注釈ツイートは、当該電子ブックにおける公式なツイートであると考えられる。したがって、これらのツイートに、電子ブックの内容に関連するＵＲＬが含まれる場合には、画面に表示された当該ツイートをユーザが１本指でシングルタップすると、ブックアプリ内ブラウザ、もしくは、iPhone内蔵の既定ブラウザによって、当該ＵＲＬを開けるようにしても良い。
【００９０】
これらのＵＲＬツイートは、画面にＵＲＬ文字列をそのまま表示しても良いし、所定のアイコンを表示することとしても良い。また、電子ブックの画像そのもののこれらのツイートが配置されるべき場所に、マークを配置しておく（たとえば、吹き出しの絵柄を画像内に直接描いておく等）こととしても良い。すなわち、
（Ｚ）１本指タップ  …  近傍に、ＵＲＬを指定した注記・注釈ツイートがある場合には、ブックアプリ内ブラウザ等で当該ＵＲＬを開く。
【００９１】
この機能により、いわゆるクリッカブルマップを実現することが可能である。
【００９２】
また、電子ブック内に埋め込まれた注記・注釈ツイート等と、エムエスサーバ１３１内に投稿された注記・注釈ツイート等と、の「画面内の位置」が近接している場合には、埋め込み注記・注釈ツイート等を、投稿された注記・注釈ツイート等で、改訂したものと解釈することも可能である。
【００９３】
たとえば、埋め込み注記・注釈ツイート等の「画面内の位置Ａ」と、投稿された注記・注釈ツイート等の「画面内の位置Ｂ」と、１本指タップされた位置Ｃを考える。
【００９４】
通常は、位置Ｃが位置Ａの近傍であれば、位置Ａのツイートに指定されるＵＲＬを開き、位置Ｃが位置Ｂの近傍であれば、位置Ｂのツイートに指定されるＵＲＬを開く。また、位置Ｃが位置Ａ、Ｂの両方の近傍であれば、いずれか位置Ｃに近い側のＵＲＬを開くことになる。
【００９５】
しかしながら、位置Ａと位置Ｂとが近傍に配置されている場合には、注釈等の改訂を行ったものと解釈される。したがって、位置Ｃが位置Ａの近傍であっても位置Ｃが位置Ｂの近傍であっても、位置Ｂのツイートに指定されるＵＲＬを開くことになる。
【００９６】
なお、上記のように自動的に１つのＵＲＬを選択して開くのではなく、近傍に複数の注記・注釈ツイートがある場合には、投稿された新しい順にＵＲＬを一覧表示して、その中からユーザにいずれかを選択させることとしても良い。
【産業上の利用可能性】
【００９７】
以上説明したように、本発明によれば、電子出版物を閲覧しながら、当該電子出版物に対するコメントを投稿できるようにするのに好適な電子出版物閲覧装置を提供することができる。
【符号の説明】
【００９８】
１０１  閲覧システム
１１１  端末
１３１  エムエスサーバ
１５１  ツイッターサーバ
１７１  インターネット
【図１】
2011227640.tif 000003